(57)【要約】【課題】ＯＳ機能とＲＲＣレイヤ機能とが協働して、ＭＤＴにおいて報告すべき位置情報を適切に取得する。【解決手段】本発明に係る移動局ＵＥでは、無線チップ１内のＲＲＣレイヤ機能２１は、ＭＤＴが設定されている場合、所定タイミングで、ＯＳ機能１に対して、移動局ＵＥの位置情報を通知するように要求するように構成されている。【選択図】図１
2013197946.tif 000002
【特許請求の範囲】
【請求項１】
ＯＳ機能及び無線チップを具備する移動局であって、
前記無線チップ内のＲＲＣレイヤ機能は、ＭＤＴ（Ｍｉｎｉｍｉｓａｔｉｏｎ  ｏｆ  Ｄｒｉｖｅ  Ｔｅｓｔｓ）が設定されている場合、所定タイミングで、前記ＯＳ機能に対して、前記移動局の位置情報を通知するように要求するように構成されていることを特徴とする移動局。
【請求項２】
ＯＳ機能及び無線チップを具備する移動局であって、
前記無線チップ内のＲＲＣレイヤ機能は、ＭＤＴ（Ｍｉｎｉｍｉｓａｔｉｏｎ  ｏｆ  Ｄｒｉｖｅ  Ｔｅｓｔｓ）が設定された時点で、前記ＯＳ機能に対して、前記移動局の位置情報が更新されたタイミングで、更新された該位置情報を通知するように要求するように構成されており、
前記ＯＳ機能は、前記位置情報が更新されたタイミングで、前記無線チップ内のＲＲＣレイヤ機能に対して、更新された該位置情報を通知するように構成されていることを特徴とする移動局。
【請求項３】
ＯＳ機能及び無線チップを具備する移動局であって、
前記無線チップ内のＲＲＣレイヤ機能は、ＭＤＴ（Ｍｉｎｉｍｉｓａｔｉｏｎ  ｏｆ  Ｄｒｉｖｅ  Ｔｅｓｔｓ）が設定されているか否かに関わらず、所定タイミングで、前記ＯＳ機能に対して、前記移動局の位置情報を通知するように要求するように構成されていることを特徴とする移動局。
【請求項４】
ＯＳ機能及び無線チップを具備する移動局であって、
前記無線チップ内のＲＲＣレイヤ機能において、ＭＤＴ（Ｍｉｎｉｍｉｓａｔｉｏｎ  ｏｆ  Ｄｒｉｖｅ  Ｔｅｓｔｓ）が設定されているか否かに関わらず、前記ＯＳ機能は、前記移動局の位置情報が更新されたタイミングで、該無線チップ内のＲＲＣレイヤ機能に対して、更新された該位置情報を通知するように構成されていることを特徴とする移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）方式では、移動局ＵＥから、実環境における所定無線品質の測定結果を収集することによって、通信事業者によって行われる走行試験（Ｄｒｉｖｅ  Ｔｅｓｔ）による手間やコストを削減する「ＭＤＴ（Ｍｉｎｉｍｉｓａｔｉｏｎ  ｏｆ  Ｄｒｉｖｅ  Ｔｅｓｔｓ、測定走行試験）」という手法が規定されている。
【０００３】
かかるＭＤＴでは、無線基地局ｅＮＢは、移動局ＵＥによって報告された所定無線品質の測定結果（ＲＳＲＰ：Ｒｅｆｅｒｅｎｃｅ  Ｓｉｇｎａｌ  Ｒｅｃｅｉｖｅｄ  Ｐｏｗｅｒ、ＲＳＲＱ：Ｒｅｆｅｒｅｎｃｅ  Ｓｉｇｎａｌ  Ｒｅｃｅｉｖｅｄ  Ｑｕａｌｉｔｙ）に加えて、移動局ＵＥの位置情報（Ｌｏｃａｔｉｏｎ  Ｉｎｆｏｒｍａｔｉｏｎ）を、運用保守サーバＯＡＭ（Ｏｐｅｒａｔｉｏｎ  Ａｎｄ  Ｍａｉｎｔｅｎａｎｃｅ）に対して報告するように構成されている。
【先行技術文献】
【非特許文献】
【０００４】
【非特許文献１】３ＧＰＰ  ３７.３２０
【発明の概要】
【発明が解決しようとする課題】
【０００５】
しかしながら、従来のＬＴＥ方式におけるＲＲＣ（Ｒａｄｉｏ  Ｒｅｓｏｕｒｃｅ  Ｃｏｎｔｒｏｌ）レイヤ機能は、移動局ＵＥの位置情報を取得することができないという問題点があった。
【０００６】
そこで、本発明は、上述の課題に鑑みてなされたものであり、ＯＳ機能とＲＲＣレイヤ機能とが協働して、ＭＤＴにおいて報告すべき位置情報を適切に取得することができる移動局を提供することを目的とする。
【課題を解決するための手段】
【０００７】
本発明の第１の特徴は、ＯＳ機能及び無線チップを具備する移動局であって、前記無線チップ内のＲＲＣレイヤ機能は、ＭＤＴが設定されている場合、所定タイミングで、前記ＯＳ機能に対して、前記移動局の位置情報を通知するように要求するように構成されていることを要旨とする。
【０００８】
本発明の第２の特徴は、ＯＳ機能及び無線チップを具備する移動局であって、前記無線チップ内のＲＲＣレイヤ機能は、ＭＤＴが設定された時点で、前記ＯＳ機能に対して、前記移動局の位置情報が更新されたタイミングで、更新された該位置情報を通知するように要求するように構成されており、前記ＯＳ機能は、前記位置情報が更新されたタイミングで、前記無線チップ内のＲＲＣレイヤ機能に対して、更新された該位置情報を通知するように構成されていることを要旨とする。
【０００９】
本発明の第３の特徴は、ＯＳ機能及び無線チップを具備する移動局であって、前記無線チップ内のＲＲＣレイヤ機能は、ＭＤＴが設定されているか否かに関わらず、所定タイミングで、前記ＯＳ機能に対して、前記移動局の位置情報を通知するように要求するように構成されていることを要旨とする。
【００１０】
本発明の第４の特徴は、ＯＳ機能及び無線チップを具備する移動局であって、  前記無線チップ内のＲＲＣレイヤ機能において、ＭＤＴが設定されているか否かに関わらず、前記ＯＳ機能は、前記移動局の位置情報が更新されたタイミングで、該無線チップ内のＲＲＣレイヤ機能に対して、更新された該位置情報を通知するように構成されていることを要旨とする。
【発明の効果】
【００１１】
以上説明したように、本発明によれば、ＯＳ機能とＲＲＣレイヤ機能とが協働して、ＭＤＴにおいて報告すべき位置情報を適切に取得することができる移動局を提供することができる。
【図面の簡単な説明】
【００１２】
【図１】本発明の第１の実施形態に係る移動局内の構成を示す図である。
【図２】本発明の第２の実施形態に係る移動局内の構成を示す図である。
【発明を実施するための形態】
【００１３】
（本発明の第１の実施形態に係る移動局）
図１を参照して、本発明の第１の実施形態に係る移動局について説明する。図１に示すように、本実施形態に係る移動局ＵＥは、ＯＳ機能１と、無線チップ２とを具備している。
【００１４】
以下、本実施形態では、ＯＳ機能として、Ａｎｄｒｏｉｄ  ＯＳ機能が設けられているケースを例に挙げて説明するが、本発明は、他のＯＳ機能が設けられているケースにも適用可能である。
【００１５】
ＯＳ機能１は、Ｌｏｃａｔｉｏｎ  Ｆｒａｍｅｗｏｒｋ（Ｌｏｃａｔｉｏｎ  Ｍａｎａｇｅｒ）１１と、Ｌｏｃａｔｉｏｎ  Ｌｉｂｒａｒｙ（Ｌｏｃａｔｉｏｎ  Ｌｉｓｔｅｎｅｒ/Ｐｒｏｖｉｄｅｒ）１２とを具備している。
【００１６】
Ｌｏｃａｔｉｏｎ  Ｆｒａｍｅｗｏｒｋ（Ｌｏｃａｔｉｏｎ  Ｍａｎａｇｅｒ）１１は、Ｌｏｃａｔｉｏｎ  Ｌｉｂｒａｒｙ（Ｌｏｃａｔｉｏｎ  Ｌｉｓｔｅｎｅｒ/Ｐｒｏｖｉｄｅｒ）１２に対して、移動局ＵＥの位置情報を取得するように指示するように構成されている。
【００１７】
なお、Ｌｏｃａｔｉｏｎ  Ｆｒａｍｅｗｏｒｋ（Ｌｏｃａｔｉｏｎ  Ｍａｎａｇｅｒ）１１は、移動局ＵＥの位置情報を必要とするアプリケーションが起動している場合には、かかるアプリケーションに対して、Ｌｏｃａｔｉｏｎ  Ｌｉｂｒａｒｙ（Ｌｏｃａｔｉｏｎ  Ｌｉｓｔｅｎｅｒ/Ｐｒｏｖｉｄｅｒ）１２から取得した移動局ＵＥの位置情報を通知するように構成されている。
【００１８】
Ｌｏｃａｔｉｏｎ  Ｌｉｂｒａｒｙ（Ｌｏｃａｔｉｏｎ  Ｌｉｓｔｅｎｅｒ/Ｐｒｏｖｉｄｅｒ）１２は、ＷｉＦｉ用ｐｏｓｉｔｉｏｎｉｎｇ機能１２Ａや、Ｒａｄｉｏ用ｐｏｓｉｔｉｏｎｉｎｇ機能１２Ｂや、ＧＮＳＳ（Ｇｌｏｂａｌ  Ｎａｖｉｇａｔｉｏｎ  Ｓａｔｔｅｌｌｉｔｅ  Ｓｙｓｔｅｍ）用ｐｏｓｉｔｉｏｎｉｎｇ機能１２Ｃ等を具備している。
【００１９】
Ｌｏｃａｔｉｏｎ  Ｌｉｂｒａｒｙ（Ｌｏｃａｔｉｏｎ  Ｌｉｓｔｅｎｅｒ/Ｐｒｏｖｉｄｅｒ）１２は、Ｌｏｃａｔｉｏｎ  Ｆｒａｍｅｗｏｒｋ（Ｌｏｃａｔｉｏｎ  Ｍａｎａｇｅｒ）１１からの指示に応じて、ＷｉＦｉ用ｐｏｓｉｔｉｏｎｉｎｇ機能１２Ａや、Ｒａｄｉｏ用ｐｏｓｉｔｉｏｎｉｎｇ機能１２Ｂや、ＧＮＳＳ（Ｇｌｏｂａｌ  Ｎａｖｉｇａｔｉｏｎ  Ｓａｔｅｌｌｉｔｅ  Ｓｙｓｔｅｍ）用ｐｏｓｉｔｉｏｎｉｎｇ機能１２Ｃ等に、移動局ＵＥの位置情報を取得するように指示するように構成されている。
【００２０】
ここで、Ｌｏｃａｔｉｏｎ  Ｌｉｂｒａｒｙ（Ｌｏｃａｔｉｏｎ  Ｌｉｓｔｅｎｅｒ/Ｐｒｏｖｉｄｅｒ）１２は、ＷｉＦｉ用ｐｏｓｉｔｉｏｎｉｎｇ機能１２Ａや、Ｒａｄｉｏ用ｐｏｓｉｔｉｏｎｉｎｇ機能１２Ｂや、ＧＮＳＳ（Ｇｌｏｂａｌ  Ｎａｖｉｇａｔｉｏｎ  Ｓａｔｔｅｌｌｉｔｅ  Ｓｙｓｔｅｍ）用ｐｏｓｉｔｉｏｎｉｎｇ機能１２Ｃ等に対して、移動局ＵＥの位置情報が更新されたタイミングで、更新された移動局ＵＥの位置情報を通知するように指示してもよい。
【００２１】
ＷｉＦｉ用ｐｏｓｉｔｉｏｎｉｎｇ機能１２Ａは、ＷｉＦｉ機能を介して、移動局ＵＥの位置情報を取得するように構成されている。
【００２２】
Ｒａｄｉｏ用ｐｏｓｉｔｉｏｎｉｎｇ機能１２Ｂは、無線チップ２を介して、移動局ＵＥの位置情報を取得するように構成されている。
【００２３】
ＧＮＳＳ用ｐｏｓｉｔｉｏｎｉｎｇ機能１２Ｃは、ＧＮＳＳを介して、移動局ＵＥの位置情報を取得するように構成されている。
【００２４】
無線チップ２は、ＬＴＥ方式におけるプロトコルスタックに対応する機能が搭載されている。具体的には、無線チップ２は、ＲＲＣレイヤ機能２１や、無線プロトコルレイヤ機能２２等を具備している。
【００２５】
ここで、無線プロトコルレイヤ機能２２は、物理レイヤ機能や、ＭＡＣ（Ｍｅｄｉａ  Ａｃｃｅｓｓ  Ｃｏｎｔｒｏｌ）レイヤ機能や、ＲＬＣ（Ｒａｄｉｏ  Ｌｉｎｋ  Ｃｏｎｔｒｏｌ）レイヤ機能や、ＰＤＣＰ（Ｐａｃｋｅｔ  Ｄａｔａ  Ｃｏｎｖｅｒｓｉｏｎ  Ｐｒｏｔｏｃｏｌ）レイヤ機能等を具備している。
【００２６】
ＲＲＣレイヤ機能２１は、ＭＤＴが設定されている場合、所定タイミングで、Ｌｏｃａｔｉｏｎ  Ｆｒａｍｅｗｏｒｋ（Ｌｏｃａｔｉｏｎ  Ｍａｎａｇｅｒ）１１に対して、移動局ＵＥの位置情報を通知するように要求するように構成されていてもよい。
【００２７】
例えば、Ｅｖｅｎｔ-Ｔｒｉｇｇｅｒ  ＭＤＴが設定されている場合、ＲＲＣレイヤ機能２１は、かかるＥｖｅｎｔが満たされるタイミング（或いは、かかるＥｖｅｎｔが満たされる少し前のタイミング）で、かかる要求を行うように構成されていてもよい。
【００２８】
或いは、Ｐｅｒｉｏｄｉｃ  ＭＤＴが設定されている場合、ＲＲＣレイヤ機能２１は、「ＭＤＴ  ｍｅａｓｕｒｅｍｅｎｔ  ｐｅｒｉｏｄ」と同じ周期で、かかる要求を行うように構成されていてもよい。
【００２９】
ここで、ＲＲＣレイヤ機能２１は、Ｌｏｃａｔｉｏｎ  Ｆｒａｍｅｗｏｒｋ（Ｌｏｃａｔｉｏｎ  Ｍａｎａｇｅｒ）１１とＲＲＣレイヤ機能２１との間で確立されているインターフェイス（Ａ-ＩＦ）を介して、かかる要求を行うように構成されていてもよい。
【００３０】
かかる要求を受信した場合、Ｌｏｃａｔｉｏｎ  Ｆｒａｍｅｗｏｒｋ（Ｌｏｃａｔｉｏｎ  Ｍａｎａｇｅｒ）１１は、取得した移動局ＵＥの位置情報を、上述のインターフェイス（Ａ-ＩＦ）を介して、ＲＲＣレイヤ機能２１に対して送信するように構成されていてもよい。
【００３１】
ここで、Ｌｏｃａｔｉｏｎ  Ｆｒａｍｅｗｏｒｋ（Ｌｏｃａｔｉｏｎ  Ｍａｎａｇｅｒ）１１は、かかる要求に応じて、ＲＲＣレイヤ機能２１に対して、移動局ＵＥの位置情報を必要とするアプリケーションに通知するために取得した移動局ＵＥの位置情報を通知するように構成されていてもよいし、ＲＲＣレイヤ機能２１に対して通知するために新規に取得した移動局ＵＥの位置情報を通知するように構成されていてもよい。
【００３２】
或いは、ＲＲＣレイヤ機能２１は、ＭＤＴが設定された時点で、ＯＳ機能１に対して、移動局ＵＥの位置情報が更新されたタイミングで、更新された移動局ＵＥの位置情報を通知するように要求するように構成されていてもよい。
【００３３】
ここで、ＲＲＣレイヤ機能２１は、上述のインターフェイス（Ａ-ＩＦ）を介して、かかる要求を行うように構成されていてもよい。
【００３４】
かかる場合、Ｌｏｃａｔｉｏｎ  Ｆｒａｍｅｗｏｒｋ（Ｌｏｃａｔｉｏｎ  Ｍａｎａｇｅｒ）１１は、移動局ＵＥの位置情報が更新されたタイミングで、上述のインターフェイス（Ａ-ＩＦ）を介して、ＲＲＣレイヤ機能２１に対して、更新された移動局ＵＥの位置情報を通知するように構成されていてもよい。
【００３５】
或いは、ＲＲＣレイヤ機能２１は、ＭＤＴが設定されているか否かに関わらず、所定タイミングで、Ｌｏｃａｔｉｏｎ  Ｆｒａｍｅｗｏｒｋ（Ｌｏｃａｔｉｏｎ  Ｍａｎａｇｅｒ）１１に対して、移動局ＵＥの位置情報を通知するように要求するように構成されていてもよい。
【００３６】
ここで、ＲＲＣレイヤ機能２１は、上述のインターフェイス（Ａ-ＩＦ）を介して、かかる要求を行うように構成されていてもよい。
【００３７】
かかる場合、Ｌｏｃａｔｉｏｎ  Ｆｒａｍｅｗｏｒｋ（Ｌｏｃａｔｉｏｎ  Ｍａｎａｇｅｒ）１１は、所定タイミングで、例えば、移動局ＵＥの位置情報が更新されたタイミングで、上述のインターフェイス（Ａ-ＩＦ）を介して、ＲＲＣレイヤ機能２１に対して、更新された移動局ＵＥの位置情報を通知するように構成されていてもよい。
【００３８】
或いは、ＲＲＣレイヤ機能２１において、ＭＤＴが設定されているか否かに関わらず、Ｌｏｃａｔｉｏｎ  Ｆｒａｍｅｗｏｒｋ（Ｌｏｃａｔｉｏｎ  Ｍａｎａｇｅｒ）１１は、移動局ＵＥの位置情報が更新されたタイミングで、ＲＲＣレイヤ機能２１に対して、更新された移動局ＵＥの位置情報を通知するように構成されていてもよい。
【００３９】
本実施形態に係る発明によれば、ＲＲＣレイヤ機能２１は、ＭＤＴが設定されている際に報告する必要がある移動局ＵＥの位置情報を、ＯＳ機能１から適切なタイミングで取得することができる。
【００４０】
（本発明の第２の実施形態に係る移動通信システム）
図２を参照して、本発明の第２の実施形態に係る移動局ＵＥについて説明する。以下、本発明の第２の実施形態に係る移動局ＵＥについて、上述の第１の実施形態に係る移動局ＵＥとの相違点に着目して説明する。
【００４１】
図２に示すように、本発明の第２の実施形態に係る移動局ＵＥでは、上述のインターフェイス（Ａ-ＩＦ）は、Ｌｏｃａｔｉｏｎ  Ｆｒａｍｅｗｏｒｋ（Ｌｏｃａｔｉｏｎ  Ｍａｎａｇｅｒ）１１とＲＲＣレイヤ機能２１との間ではなく、Ｌｏｃａｔｉｏｎ  Ｌｉｂｒａｒｙ（Ｌｏｃａｔｉｏｎ  Ｌｉｓｔｅｎｅｒ/Ｐｒｏｖｉｄｅｒ）１２とＲＲＣレイヤ機能２１との間で設定されている。
【００４２】
以上に述べた本実施形態の特徴は、以下のように表現されていてもよい。
【００４３】
本実施形態の第１の特徴は、ＯＳ機能１及び無線チップ２を具備する移動局ＵＥであって、無線チップ１内のＲＲＣレイヤ機能２１は、ＭＤＴが設定されている場合、所定タイミングで、ＯＳ機能１に対して、移動局ＵＥの位置情報を通知するように要求するように構成されていることを要旨とする。
【００４４】
本実施形態の第２の特徴は、ＯＳ機能１及び無線チップ２を具備する移動局ＵＥであって、無線チップ２内のＲＲＣレイヤ機能２１は、ＭＤＴが設定された時点で、ＯＳ機能１に対して、移動局ＵＥの位置情報が更新されたタイミングで、更新された移動局ＵＥの位置情報を通知するように要求するように構成されており、ＯＳ機能１は、移動局ＵＥの位置情報が更新されたタイミングで、無線チップ２内のＲＲＣレイヤ機能２１に対して、更新された移動局ＵＥの位置情報を通知するように構成されていることを要旨とする。
【００４５】
本実施形態の第３の特徴は、ＯＳ機能１及び無線チップ２を具備する移動局ＵＥであって、無線チップ２内のＲＲＣレイヤ機能２１は、ＭＤＴが設定されているか否かに関わらず、所定タイミングで、ＯＳ機能１に対して、移動局ＵＥの位置情報を通知するように要求するように構成されていることを要旨とする。
【００４６】
本実施形態の第４の特徴は、ＯＳ機能１及び無線チップ２を具備する移動局ＵＥであって、無線チップ２内のＲＲＣレイヤ機能２１において、ＭＤＴが設定されているか否かに関わらず、ＯＳ機能１は、移動局ＵＥの位置情報が更新されたタイミングで、無線チップ２内のＲＲＣレイヤ機能２１に対して、更新された移動局ＵＥの位置情報を通知するように構成されていることを要旨とする。
【００４７】
なお、上述の移動局ＵＥの動作は、ハードウェアによって実施されてもよいし、プロセッサによって実行されるソフトウェアモジュールによって実施されてもよいし、両者の組み合わせによって実施されてもよい。
【００４８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ内に設けられていてもよい。また、かかる記憶媒体及びプロセッサは、ディスクリートコンポーネントとして移動局ＵＥ内に設けられていてもよい。
【００５０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５１】
ＵＥ…移動局
１…ＯＳ機能
１１…Ｌｏｃａｔｉｏｎ  Ｆｒａｍｅｗｏｒｋ（Ｌｏｃａｔｉｏｎ  Ｍａｎａｇｅｒ）
１２…Ｌｏｃａｔｉｏｎ  Ｌｉｂｒａｒｙ（Ｌｏｃａｔｉｏｎ  Ｌｉｓｔｅｎｅｒ/Ｐｒｏｖｉｄｅｒ）
２…無線チップ
２１…ＲＲＣレイヤ機能
２２…無線プロトコルレイヤ機能
【図１】
2013197946.tif 000003
【図２】
2013197946.tif 000004